(57)【要約】【課題】  水による故障や感電を防ぐことができ、小型かつ廉価な屋外設置式電源供給装置を提供する。【解決手段】  屋外に設置され電源を供給するための屋外設置式電源供給装置１において、開口２を有し開口２内にコンセント３を収容する筐体４と、筐体４に設けられ開口２を開閉可能にする蓋状のカバー５と、カバー５の開閉状態を検出する開閉検出手段６と、コンセント３にプラグ７が装着されているか否かを検出するプラグ検出手段８と、プラグ検出手段８でプラグ７が装着されていることを検出し、かつ、開閉検出手段６でカバー５が閉じていることを検出したときにコンセント３に通電する通電制御手段９とを備えたものである。【選択図】  図１
2005347203.tif 000002
【特許請求の範囲】
【請求項１】
屋外に設置され電源を供給するための屋外設置式電源供給装置において、開口を有し該開口内にコンセントを収容する筐体と、該筐体に設けられ上記開口を開閉可能にする蓋状のカバーと、上記カバーの開閉状態を検出する開閉検出手段と、上記コンセントにプラグが装着されているか否かを検出するプラグ検出手段と、プラグ検出手段でプラグが装着されていることを検出し、かつ、上記開閉検出手段でカバーが閉じていることを検出したときに上記コンセントに通電する通電制御手段とを備えたことを特徴とする屋外設置式電源供給装置。
【請求項２】
上記開口は上記筐体の正面に形成され、上記コンセントは、上記開口の上端を基点としてそこから垂下する鉛直線に対し６０度以上上記筐体内に入った位置に設けられる請求項１記載の屋外設置式電源供給装置。
【請求項３】
上記コンセントは下方又は斜め下方に向けられた請求項１又は２記載の屋外設置式電源供給装置。
【請求項４】
電源供給に必要な情報を入力するための情報入力手段を備え、上記通電制御手段はさらに上記情報入力手段で上記情報を得られたときに上記コンセントへの通電を行うように構成された請求項１〜３いずれかに記載の屋外設置式電源供給装置。
【請求項５】
料金を徴収するための料金徴収手段を備え、該料金徴収手段は、給電終了後に料金を徴収するように構成された請求項１〜４いずれかに記載の屋外設置式電源供給装置。
【請求項６】
料金を徴収するための料金徴収手段を備え、上記通電制御手段はさらに上記料金徴収手段で所定の料金を得られたときに上記コンセントへ通電を行うように構成された請求項１〜４いずれかに記載の屋外設置式電源供給装置。
【請求項７】
上記カバーを閉じた状態にロックするロック手段を備えた請求項１〜６いずれかに記載の屋外設置式電源供給装置。
【請求項８】
電源供給に必要な情報を入力するための情報入力手段と、該情報入力手段から上記情報を得たときに上記ロック手段のロックを解除するロック制御手段とを備えた請求項７記載の屋外設置式電源供給装置。
【請求項９】
上記情報入力手段が非接触式のＩＣカードリーダからなる請求項８記載の屋外設置式電源供給装置。
【請求項１０】
料金を徴収するための料金徴収手段と、該料金徴収手段で上記料金が得られたときに上記ロック手段のロックを解除するロック制御手段とを備えた請求項７記載の屋外設置式電源供給装置。
【請求項１１】
上記料金徴収手段が非接触式のＩＣカードリーダからなる請求項１０記載の屋外設置式電源供給装置。
【請求項１２】
上記コンセントは車載空調装置に交流電源を供給するように構成された請求項１〜１１いずれかに記載の屋外設置式電源供給装置。
【発明の詳細な説明】
【技術分野】
【０００１】
本発明は、屋外設置式電源供給装置に関するものである。
【背景技術】
【０００２】
屋外に設置される電気のコンセントには、コンセント部の露出を防ぐためのカバーを設けたり、雨よけの傘を設けたりしている。コンセントプラグの抜き差し時の安全の観点からは、電力線の他に信号線を有する専用コネクタと専用プラグを形成し、専用コネクタに専用プラグが挿入され、信号線を通じてキー等を検知したときにのみ専用コネクタに通電するように構成されているものがある。また主に電気自動車への給電装置としては、充電部が露出しない非接触式（インダクティブ方式）のコンセント（特許文献１参照）がある。
【０００３】
【特許文献１】特開平５−２６０６７１号公報
【特許文献２】特開昭５７−１２３４８８号公報
【特許文献３】特開２００１−７６８２３号公報
【発明の開示】
【発明が解決しようとする課題】
【０００４】
ところで、近年環境保護の観点からアイドリングストップ運動が実施されているが、要冷蔵品を積載した車両や炎天下の車両等、エンジンを切ることができない車両も多かった。このため、本出願人は、車両の空調装置に電源を供給すべく屋外にコンセントを設置する公共システムを発案した。しかしながら、上述のカバー付きコンセントでは、カバーを開閉するときに内部が濡れてしまう可能性があり、故障発生や感電発生の虞があった。また、一般に感電の可能性が低いとされる非接触式コンセントや信号線付きコンセントにあっては、大型、高価格となってしまう課題があった。そしていずれのコンセントにおいても、いたずらや盗電の防止は考慮されておらず、公共の場に設置することができないという課題があった。
【０００５】
そこで、本発明の目的は上記課題を解決し、水による故障や感電を防ぐことができ、小型かつ廉価な屋外設置式電源供給装置を提供することにある。
【課題を解決するための手段】
【０００６】
上記課題を解決するために本発明は、屋外に設置され電源を供給するための屋外設置式電源供給装置において、開口を有し該開口内にコンセントを収容する筐体と、該筐体に設けられ上記開口を開閉可能にする蓋状のカバーと、上記カバーの開閉状態を検出する開閉検出手段と、上記コンセントにプラグが装着されているか否かを検出するプラグ検出手段と、プラグ検出手段でプラグが装着されていることを検出し、かつ、上記開閉検出手段でカバーが閉じていることを検出したときに上記コンセントに通電する通電制御手段とを備えたものである。
【０００７】
上記開口は上記筐体の正面に形成され、上記コンセントは、上記開口の上端を基点としてそこから垂下する鉛直線に対し６０度以上上記筐体内に入った位置に設けられるとよい。
【０００８】
上記コンセントは下方又は斜め下方に向けられるとよい。
【０００９】
また、電源供給に必要な情報を入力するための情報入力手段を備え、上記通電制御手段はさらに上記情報入力手段で上記情報を得られたときに上記コンセントへの通電を行うように構成されるとよい。
【００１０】
料金を徴収するための料金徴収手段を備え、該料金徴収手段は、給電終了後に料金を徴収するように構成されるとよい。
【００１１】
また、料金を徴収するための料金徴収手段を備え、上記通電制御手段はさらに上記料金徴収手段で所定の料金を得られたときに上記コンセントへ通電を行うように構成されるとよい。
【００１２】
そして、上記カバーを閉じた状態にロックするロック手段を備えるとよい。
【００１３】
また、電源供給に必要な情報を入力するための情報入力手段と、該情報入力手段から上記情報を得たときに上記ロック手段のロックを解除するロック制御手段とを備えるとよい。
【００１４】
上記情報入力手段が非接触式のＩＣカードリーダからなるとよい。
【００１５】
また、料金を徴収するための料金徴収手段と、該料金徴収手段で上記料金が得られたときに上記ロック手段のロックを解除するロック制御手段とを備えてもよい。
【００１６】
上記料金徴収手段が非接触式のＩＣカードリーダからなるとよい。
【００１７】
そして、上記コンセントは車載空調装置に交流電源を供給するように構成されるとよい。
【発明の効果】
【００１８】
本発明によれば、水による故障や感電を防ぐことができ、小型かつ廉価にできる。
【発明を実施するための最良の形態】
【００１９】
図１は、本発明の好適実施の形態を示す屋外設置式電源供給装置の側断面図であり、図２は屋外設置式電源供給装置の正面図であり、図３は屋外設置式電源供給装置の斜視図である。
【００２０】
図１に示すように、屋外設置式電源供給装置１は、開口２を有し開口２内にコンセント３を収容する筐体４と、筐体４に設けられ開口２を開閉可能にする蓋状のカバー５と、カバー５の開閉状態を検出する開閉検出手段６と、コンセント３にプラグ７が装着されているか否かを検出するプラグ検出手段８と、プラグ検出手段８でプラグ７が装着されていることを検出し、かつ、開閉検出手段６でカバー５が閉じていることを検出したときにコンセント３に通電する通電制御手段９とを備えて構成されている。コンセント３は車載空調装置（図示せず）に交流電源を供給するように構成されている。
【００２１】
筐体４は、上下に長い直方体状に形成されており、内部を上下に三分割されている。開口２は、筐体４の下段の部屋の正面に形成されており、コンセント３は開口２内に形成されるプラグ接続室１０内に収容されている。図２及び図３に示すように、開口２はプラグ接続室１０の下端まで延びて形成されており、プラグ接続室１０の底面１１には、開口２から導入された電源コード１２を挿通させるための切欠１３が形成されている。プラグ接続室１０の奥を区画する仕切板１４は、下向きに傾斜する傾斜部１５を有する。傾斜部１５にはコンセント３が傾斜面に沿って斜め下方に向けて取り付けられており、たとえコンセント３が濡れても水気を速やかにコンセント３外に排出できるようになっている。また図１に示すように、コンセント３は、開口２の上端を基点としてそこから垂下する鉛直線１６に対し６０度以上筐体４内に入った位置に設けられており、カバー５を開けた程度では雨水等で容易に濡れないように構成されている。
【００２２】
図１に示すように、カバー５は、筐体４に水平軸２０回り回動自在に枢支されたフレーム部２１と、フレーム部２１にボルト等を介して取り外し可能に設けられた蓋板２２とからなる。フレーム部２１には、後述するロック用レバー２３に係合されると共に後述する中間レバー２４に係合されるピン状の係合部２５が設けられている。カバー５の回動中心である水平軸２０は、機構室１９内に開口２に近接して設けられており、カバー５を開口２に沿って垂下させられるようになっている。カバー５は、水平軸２０から垂れ下がることで開口２を塞ぎ、上方に回動することで開口２を開けるように構成されている。カバー５の前面には取っ手２６が設けられており、取っ手２６を引くことで容易にカバー５を開けられるようになっている。
【００２３】
開閉検出手段６は、発光部（図示せず）と受光部（図示せず）とを備え、発光部からの光を受光部で受光することで光の経路上に障害物があるか否かを検出するフォトセンサからなる。開閉検出手段６は、筐体４の中段に形成された機構室１９内に設けられており、カバー５の開閉に連動するリンク機構１８に発光部と受光部との間を遮られることでカバー５の開閉を検出できるように構成されている。
【００２４】
リンク機構１８は、カバー５に係合される中間レバー２４と、中間レバー２４に係合されコンセント３のプラグ接続口（図示せず）に近接離間可能に回動されるプラグ検出用レバー２７とを備えて構成されている。
【００２５】
中間レバー２４は、閉じた状態のカバー５が開き始めるときと、開いた状態のカバー５が開口２を閉じ始めるときとにカバー５に係合して回動するように構成されており、カバー５の回動をプラグ検出用レバー２７に伝達する機能と、開閉検出手段６にカバー５の開閉状態を連絡する機能とを有する。中間レバー２４は、長手方向の中央を筐体４に水平軸３２回り回動自在に枢支されており、一端側をカバー５に係合されている。そして、中間レバー２４は、他端側を後述するプラグ検出用レバー２７に係脱可能に当接され、開閉検出手段６に近接離間させるようになっている。中間レバー２４の他端側には、プラグ検出用レバー２７に当接されるピン状の係合部３３と、開閉検出手段６にカバー５の開状態を連絡すべく周方向に延びる被検出部３４とが形成されている。被検出部３４は、中間レバー２４がカバー５の開動作に連動して回動を始めたときに開閉検出手段６の発光部と受光部との間を遮るように形状を決定されており、カバー５の開閉を開閉検出手段６に確実に伝えることができるようになっている。中間レバー２４の被検出部３４は、周方向に延びる板状に形成されており、カバー５が開いているときには常に発光部と受光部との間を遮るように構成されている。また具体的には、中間レバー２４は、一端側をカバー５の係合部２５に当接されると共に、機構室１９内で回動するように回動角度を規制されており、カバー５が所定角度を超えて回動したときに係合部２５から離れるようになっている。そして、中間レバー２４は弾発付勢手段たる第１スプリング３５を介してプラグ検出用レバー２７に連結され、プラグ検出用レバー２７は第２スプリング７２を介して筐体４に連結されている。これにより、中間レバー２４は、一端側をカバー５の係合部２５に押し付けるように弾発付勢されており、閉じた状態から所定の角度以内にあるカバー５から外れないようになっている。
【００２６】
プラグ検出用レバー２７は、筐体４に水平軸４０回り回動自在に枢支されている。プラグ検出用レバー２７は、プラグ接続室１０内に延び、コンセント３に差されたプラグ７に当接される検知アーム部３６と、後述するプラグ検出手段８に近接離間される被検出部３７とを備えて構成されている。検知アーム部３６は、鉤型に屈曲して形成されており、先端にプラグ７に当接されるローラ状の探触部３８を設けられている。検知アーム部３６は、第１スプリング３５による付勢により中間レバー２４の他端側に当接されるようになっている。これにより検知アーム部３６は、カバー５が開いたとき、カバー５に連動してコンセント３から退避する方向に回動するようになっており、プラグ７の抜き差しを邪魔しないようになっている。また、検知アーム部３６は、コンセント３へ近接する方向に対しては第１スプリング３５により付勢され回転する。これにより、検知アーム部３６がプラグ７に当接されているときにカバー５が閉じても、第１スプリング３５が伸び必要以上にプラグ７を押すのを防ぐようになっている。
【００２７】
プラグ接続室１０と機構室１９とを仕切る仕切板１４には、カバー５のフレーム部２１を前後移動可能に挿通させるためのスリット（図示せず）と、プラグ検出用レバー２７を前後移動可能に挿通させるためのスリット（図示せず）とが形成されており、カバー５やプラグ検出用レバー２７の揺動を邪魔しないようになっている。ただし、プラグ検出用レバー２７は、コンセント３に当たることで回動を止めるようになっており、コンセント３がストッパを構成している。
【００２８】
プラグ検出手段８は、開閉検出手段６と同様のフォトセンサからなり、機構室１９内に設けられている。プラグ検出手段８は、コンセント３にプラグ７が装着されていないときにプラグ検出用レバー２７の被検出部３７で発光部と受光部との間を遮るように位置決めして配置されており、プラグ検出用レバー２７がプラグ７に当接されているとき発光部と受光部との間に光が通るようになっている。プラグ検出用レバー２７の被検出部３７は、プラグ検出用レバー２７が所定の姿勢にあるときにのみフォトセンサの光を遮る小さな板状に形成されており、コンセント３に装着されたプラグ７が小さくても確実に検出できるようになっている。
【００２９】
図１に示すように、通電制御手段９は、コンピュータからなり、筐体４の上段に形成される制御室４１内に設けられている。図６に示すように、通電制御手段９は、開閉検出手段６やプラグ検出手段８を構成するフォトセンサに接続された入力アンプ４５と、入力アンプ４５に接続されたＣＰＵ５３と、ＣＰＵ５３にドライバ４６を介して接続されコンセント３への通電をオン・オフするコンタクタ４７とを備えて構成されている。通電制御手段９は、図７に示すように、開閉検出手段６からカバー５が閉じている４８旨の信号を受け、かつ、プラグ検出手段８からプラグ７が装着されている４９旨の信号を受けたときにコンセント３に通電５０し、それ以外のときはコンセント３への通電を遮断６９するように構成されている。
【００３０】
また、筐体４の機構室１９内には、カバー５を閉じた状態にロックするロック手段１７が設けられている。ロック手段１７はソレノイドからなり、伸縮をロックされることで後述するロック用レバー２３を介してカバー５の開閉をロックするように構成されている。
【００３１】
ロック用レバー２３は、ロック手段１７に連結されロック時にカバー５の回動を規制するものである。具体的には、ロック用レバー２３は、筐体４に水平軸２８回り回動自在に枢支されると共に、ロック手段１７に連結リンク２９を介して連結されている。また、ロック用レバー２３は、カバー５の係合部２５に係合されるフック部３０を有し、カバー５が開くときフック部３０を押されて回動すると共に、ロック時にカバー５の回動を止めるようになっている。フック部３０は、カバー５が開かれロック用レバー２３が所定角度以上回動されたときにカバー５から外れるようにその形状を決定されており、ロック手段１７を所定の範囲を超えて伸縮させないようになっている。またさらに、ロック用レバー２３には、フック部３０から外れたカバー５の係合部２５を再びフック部３０に係合させるべくカバー５の係合部２５をフック部３０に案内するガイド部３１が形成されている。ガイド部３１は、係合部２５が当接される位置に係合部２５を滑らせるための傾斜を形成してなる。また、ロック手段１７は、制御室４１内に設けられたロック制御手段４４によってコントロールされるようになっている。ロック制御手段４４は、ロック手段１７たるソレノイドが所定長さ以上に伸長されたときにソレノイドをロックし、後述する情報入力手段４３から所定の情報が入力されたときにソレノイドのロックを解除するように構成されている。
【００３２】
図１及び図２に示すように、情報入力手段４３は、電源供給に必要な情報を入力するためのものであり、非接触式のＩＣカードリーダ５１からなる。ＩＣカードリーダ５１は、電力供給者が予め利用者に発行したＩＣカード（図示せず）を読み取れるようになっており、予め登録された個人情報等をＩＣカードから読み取ったり、屋外設置式電源供給装置１で使用した電力量等の利用履歴や課金金額等の情報をＩＣカードに書き込めるようになっている。
【００３３】
図６に示すように、ロック制御手段４４は、情報入力手段４３を構成するＩＣカードリーダ５１に接続されたラインドライバ５２と、ラインドライバ５２に接続されたＣＰＵ５３と、ＣＰＵ５３に接続されると共に、ロック手段１７に接続されたドライバ５４とを備えて構成されている。ロック制御手段４４のＣＰＵ５３は、通電制御手段９と兼用となっている。また、ＣＰＵ５３には、電子式電力量計５５が入力アンプ５６を介して接続され、時計５７及びメモリ５８がＩＯバッファ５９、６０を介して接続されると共に、表示ＬＥＤ６１及びブザー６２がドライバ６３、６４を介して接続されている。電子式電力量計５５と時計５７は、主に利用履歴情報を作成するために用いられる。図２に示すように、表示ＬＥＤ６１は、筐体４の前面に設けられており、利用の可否や、ＩＣカードによる認証の成否、給電状況等を表示するユーザインタフェースとして用いられるようになっている。ブザー（図示せず）は、誤操作等を知らせるときに用いられる。また、図６に示すように、ＣＰＵ５３にはホストコンピュータ（図示せず）に接続するためのインタフェース６５がラインドライバ６６を介して接続されており、メモリ５８内に記録した稼働履歴等の各種情報を外部出力したり、制御プログラム等のメンテナンスを受けられるようになっている。
【００３４】
また、図１に示すように、筐体４には、ロック手段１７の不具合等によりカバー５が開かなくなったときにロック用レバー２３を強制的に回動させるための手動レバー３９が水平軸４０回り回動自在に枢支されている。手動レバー３９は、手動操作する側の端を制御室４１内に延出されており、図１及び図４に示す背面窓４２を開けることで容易に操作できるようになっている。背面窓４２は通常鍵を掛けられており、装置の管理者等限られた人間以外は開けられないようになっている。
【００３５】
次に本実施の形態の作用を述べる。
【００３６】
屋外設置式電源供給装置１から電源供給を受ける場合、図５に示すように、車両７０を屋外設置式電源供給装置１の近傍に止め、エンジンを止める。このとき、屋外設置式電源供給装置１のカバー５はロック手段１７によって開閉をロックされると共に、通電制御手段９によってコンセント３への通電を遮断されており、部外者がいたずらや盗電等をできないようになっている。
【００３７】
まず、カバー５のロックを解除するため、図２に示す屋外設置式電源供給装置１のＩＣカードリーダ５１に所定のＩＣカードをかざし、ＩＣカードを読み取らせる。これにより、ロック制御手段４４はロック手段１７たるソレノイドのロックを解除する。
【００３８】
この後、図９に示すように、取っ手２６を引き上げてカバー５を開ける。カバー５が開き始めると、カバー５の係合部２５がロック用レバー２３を押し回し、ロック手段１７を縮退させる。また、第１スプリング３５によってプラグ検出用レバー２７に連結され、さらにプラグ検出用レバー２７が第２スプリング７２に連結されることによって係合部２５に押し付けられていた中間レバー２４は、係合部２５に追従するように回動を始める。中間レバー２４は、他端側の係合部３３でプラグ検出用レバー２７を押し、探触部３８をコンセント３から離間させるようにプラグ検出用レバー２７を回動させる。また同時に、プラグ検出手段８たるフォトセンサの光を遮断していた被検出部３７がプラグ検出手段８から離れ、プラグ７を検出しているときと同じ状態となる。
【００３９】
図１０に示すように、カバー５が所定角度以上開くと、カバー５の係合部２５がロック用レバー２３のフック部３０から外れ、ロック用レバー２３が元の姿勢に戻ると共に、中間レバー２４が探触部３８を仕切板１４の上まで回転する。この状態で予め車両７０に装備した車載空調装置７１のプラグ７をコンセント３に差す。このとき、中間レバー２４の被検出部３４は開閉検出手段６たるフォトセンサの光を遮る位置にあり、通電制御手段９はカバー５が開いていることを検知しているため、図７に示すように、コンセント３への通電は遮断されており、たとえ濡れた手でプラグ７を差しても感電することはない。
【００４０】
取っ手２６から手を離すと、カバー５は下方へ回動して閉じる。このとき、カバー５の係合部２５は中間レバー２４に当たったのち、中間レバー２４を第１スプリング３５に反して回動させる。また、カバー５の係合部２５は、ロック用レバー２３を押し回しながらガイド部３１に沿ってフック部３０に案内され、フック部３０に再び係合される。ロック手段１７は再びロックされ、カバー５は再び開閉をロックされる。中間レバー２４に押し上げられていたプラグ検出用レバー２７は、第１スプリング３５の付勢により探触部３８を下降させるように回動し、探触部３８をコンセント３に差されたプラグ７に当てることで回動を止められる。このとき、中間レバー２４の被検出部３４は開閉検出手段６たるフォトセンサの光を通す位置で止まり、かつ、プラグ検出用レバー２７の被検出部３７はプラグ検出手段８たるフォトセンサの光を通す位置で止まる。このため、図７に示すように通電制御手段９はカバー５が閉じていることを検知すると共に、コンセント３にプラグ７が装着されていることを検知し、コンセント３に通電を始める。車載空調装置７１のスイッチを入れることで車載空調装置７１を作動させることができる。
【００４１】
屋外設置式電源供給装置１からの電源供給を終了するときは、車載空調装置７１のスイッチを切り、上述の要領でＩＣカードリーダ５１にＩＣカードを読み取らせ、カバー５のロックを解除する。この後、カバー５を開け、プラグ７を抜く。図７に示すように、カバー５を開けることで、コンセント３への通電は遮断されるため、たとえ手が濡れていても感電することはない。カバー５から手を離すと、カバー５は自重で閉じ、ロック手段１７によって再び開閉をロックされる。このとき、コンセント３にプラグ７が装着されていないため、プラグ検出用レバー２７は中間レバー２４の係合部３３に当たる所定の位置まで回動される。このため、プラグ検出用レバー２７の被検出部３７はプラグ検出手段８たるフォトセンサの光を遮断する位置で止まる。通電制御手段９は、プラグ７が装着されていないことを検知し、図７に示すように、コンセント３への通電を遮断する状態を維持することとなる。
【００４２】
また、万一ロック用レバー２３が引っ掛かる等によりカバー５が開かなくなった場合、背面窓４２を開け、制御室４１内の手動レバー３９を引く。これにより、ロック用レバー２３を手動レバー３９の他端側で押し回すことができ、カバー５を開くことができる。
【００４３】
このように、開口２を有し開口２内にコンセント３を収容する筐体４と、筐体４に設けられ開口２を開閉可能にする蓋状のカバー５と、カバー５の開閉状態を検出する開閉検出手段６と、コンセント３にプラグ７が装着されているか否かを検出するプラグ検出手段８と、プラグ検出手段８でプラグ７が装着されていることを検出し、かつ、開閉検出手段６でカバー５が閉じていることを検出したときにコンセント３に通電する通電制御手段９とを備えて屋外設置式電源供給装置１を構成したため、コンセント３に風雨が当たるのを防ぐことができると共に、プラグ装着時にコンセント３への通電を遮断しておくことができ、水による故障や感電を防ぐことができる。そして、信号線等を有しない通常のコンセント３及びプラグ７を用いることができるため、装置を小型かつ廉価なものにできる。
【００４４】
開口２は筐体４の正面に形成され、コンセント３は、開口２の上端を基点としてそこから垂下する鉛直線１６に対し６０度以上筐体４内に入った位置に設けられるため、カバー５が全開されているときであってもコンセント３が雨等で濡れるのを防ぐことができる。
【００４５】
コンセント３は斜め下方に向けられているため、たとえ濡れても水分を速やかにコンセント３外に排出することができ、コンセント３内に水が溜まるのを防ぐことができる。なお、コンセント３は鉛直下方に向けてもよい。
【００４６】
また、カバー５を閉じた状態にロックするロック手段１７を備えて屋外設置式電源供給装置１を構成したため、部外者によるいたずらや、盗電等を防ぐことができる。
【００４７】
そして、電源供給に必要な情報を入力するための情報入力手段４３と、情報入力手段４３から情報を得たときにロック手段１７のロックを解除するロック制御手段４４とを備えたため、容易に利用者を識別してロックを解除することができる。
【００４８】
情報入力手段４３が非接触式のＩＣカードリーダ５１からなるものとしたため、筐体４にカードを取り込むための穴を形成する必要がなく、装置内に雨水等が浸入するのを防ぐことができる。
【００４９】
コンセント３は車載空調装置７１に交流電源を供給するように構成したため、アイドリングを止めても車両７０内を冷やすことができ、排気ガスによる環境破壊を抑えることができる。
【００５０】
なお、通電制御手段９は、カバー５が閉じており、かつ、プラグ７が装着されているときにコンセント３に通電するものとしたが、通電の条件は更に多くてもよい。例えば、通電制御手段９は、図１２に示すように、カバー５が閉じており４８、かつ、プラグ７が装着されており４９、かつ、情報入力手段４３に電源供給に必要な情報を入力された６７ときにコンセント３に通電５０するものであってもよい。
【００５１】
このように、プラグ検出手段８でプラグ７が装着されていることを検出し、かつ、開閉検出手段６でカバー５が開いていることを検出し、さらに情報入力手段４３で電源供給に必要な情報を得られたときにコンセント３への通電を行うように通電制御手段９を構成することにより、たとえカバー５を壊しても盗電できなくすることができ、いたずら等を更に効果的に防ぐことができる。
【００５２】
また、情報入力手段４３は、防水対策上ＩＣカードリーダ５１であることが好ましいが、これに限るものではない。例えば情報入力手段４３は磁気カードを読み書きする磁気カードリーダであってもよく、暗証番号等を入力するキー状の入力装置であってもよく、指紋や目等の体の特徴から個人を識別する識別装置であってもよい。
【００５３】
情報入力手段４３は、料金を徴収するための料金徴収手段を兼ねていても良い。この場合、情報入力手段４３は読み書き可能なＩＣカードリーダ５１とし、ＩＣカードをプリペイドカードとして用いるとよい。ロック制御手段４４は、料金徴収手段で残金がある旨の料金情報が得られたときにロック手段１７のロックを解除し、料金徴収手段は、給電終了後に利用電力量に応じた金額を残金から差し引く等により料金を徴収するものであるとよい。料金徴収手段は、磁気カードからなるプリペイドカードであってもよい。
【００５４】
料金徴収手段は、貨幣や紙幣等の現金を授受する通貨機器（図示せず）であってもよい。この場合、前払い式とし、利用後に釣り銭を出すシステムにするとよい。ロック制御手段４４は、料金が得られたときと、精算時とにロック手段１７のロックを解除するように構成するとよい。通電制御手段９は、図１３に示すように、カバー５が閉じており４８、かつ、プラグ７が装着されており４９、かつ、料金徴収手段に現金が投入されている６８ときにコンセント３に通電５０するものであるとよい。
【００５５】
また、屋外設置式電源供給装置１は、情報入力手段４３に替えて料金徴収手段を備えてもよく、情報入力手段４３とは別に料金徴収手段を備えていてもよい。
【００５６】
通電制御手段９のＣＰＵ５３とロック制御手段４４のＣＰＵ５３は兼用するものとしたが、別々のＣＰＵであってもよいのは勿論である。
【００５７】
開閉検出手段６とプラグ検出手段８はフォトセンサからなるものとしたが、これに限るものではなく、近接スイッチ等の他のセンサであってもよい。そして、開閉検出手段６は中間レバー２４が所定の位置にあるか否かを検出するものとしたが、カバー５の位置を直接検出するものであってもよい。また、プラグ検出手段８はプラグ検出用レバー２７が所定の位置にあるか否かを検出するものとしたが、プラグ７を直接検出するものであってもよい。この場合、プラグ検出手段８は、赤外線センサ（非接触式のセンサ）等、他のセンサであってもよい。
【図面の簡単な説明】
【００５８】
【図１】本発明の好適実施の形態を示す屋外設置式電源供給装置の側断面図である。
【図２】屋外設置式電源供給装置の正面図である。
【図３】屋外設置式電源供給装置の斜視図である。
【図４】屋外設置式電源供給装置の背面図である。
【図５】屋外設置式電源供給装置に車両のプラグを差した状態を示す正面説明図である。
【図６】屋外設置式電源供給装置の制御系統を示すシステムブロック図である。
【図７】通電制御手段の処理手順を示す流れ図である。
【図８】スタンバイ状態の屋外設置式電源供給装置の要部側断面図である。
【図９】カバーが開き始めた状態の屋外設置式電源供給装置の要部側断面図である。
【図１０】カバーが完全に開いた状態の屋外設置式電源供給装置の要部側断面図である。
【図１１】カバーが閉じ方向に回動している状態の屋外設置式電源供給装置の要部側断面図である。
【図１２】他の実施の形態を示す通電制御手段の処理手順を示す流れ図である。
【図１３】他の実施の形態を示す通電制御手段の処理手順を示す流れ図である。
【符号の説明】
【００５９】
１  屋外設置式電源供給装置
２  開口
３  コンセント
４  筐体
５  カバー
６  開閉検出手段
７  プラグ
８  プラグ検出手段
９  通電制御手段
１６  鉛直線
１７  ロック手段
４３  情報入力手段
４４  ロック制御手段
５１  ＩＣカードリーダ
【図１】
2005347203.tif 000003
【図２】
2005347203.tif 000004
【図３】
2005347203.tif 000005
【図４】
2005347203.tif 000006
【図５】
2005347203.tif 000007
【図６】
2005347203.tif 000008
【図７】
2005347203.tif 000009
【図８】
2005347203.tif 000010
【図９】
2005347203.tif 000011
【図１０】
2005347203.tif 000012
【図１１】
2005347203.tif 000013
【図１２】
2005347203.tif 000014
【図１３】
2005347203.tif 000015